(57)【特許請求の範囲】
【請求項１】
モバイル端末に暗号化チップが内蔵され、
加入者識別モジュール（ＳＩＭ）、暗号化チップ及びモバイル端末のメインチップにそれぞれカスタマイズ情報を記憶することと、
モバイル端末の電源を入れた後、前記暗号化チップがモバイル端末のメインチップ及びＳＩＭカードとそれぞれ前記カスタマイズ情報を照合し、いずれかの一回の照合が一致しないと、前記モバイル端末のメインチップと前記ＳＩＭカードとの間の通信をブロックすることと、を含み、
前記暗号化チップとモバイル端末のメインチップが前記カスタマイズ情報を照合することは、
前記暗号化チップが情報取得信号をモバイル端末のメインチップに送信し、カスタマイズ情報の取得を要求することと、
前記モバイル端末のメインチップが情報取得信号を受信した後、その自体のソフトウェアセキュリティ領域内におけるカスタマイズ情報を暗号化チップに送信することと、
前記暗号化チップがモバイル端末のメインチップからのカスタマイズ情報をその自体に記憶されたカスタマイズ情報と照合し、一致しない時、前記モバイル端末のメインチップと前記ＳＩＭカードとの間の通信をブロックすることと、を含み、
前記暗号化チップがモバイル端末のメインチップからのカスタマイズ情報をその自体に記憶されたカスタマイズ情報と照合し、一致する時、前記モバイル端末のメインチップにソフトウェア検証成功信号を送信することと、
前記モバイル端末のメインチップがソフトウェア検証成功信号を受信した後、暗号化チップに情報取得信号を送信し、暗号化チップ内におけるカスタマイズ情報の取得を要求することと、
前記暗号化チップがモバイル端末のメインチップの情報取得信号を受信した後、記憶されたカスタマイズ情報をモバイル端末のメインチップに送信することと、
前記モバイル端末のメインチップが暗号化チップからのカスタマイズ情報をその自体のソフトウェアセキュリティ領域内におけるカスタマイズ情報と照合し、一致する時、モバイル端末のメインチップが暗号化チップにハードウェア検証成功を通知し、前記暗号化チップがハードウェア検証成功の通知を受信した後、暗号化チップとＳＩＭカードが前記カスタマイズ情報を照合するステップを実行し、一致しない時、暗号化チップにハードウェア検証失敗を通知し、前記暗号化チップがハードウェア検証失敗の通知を受信した後、モバイル端末のメインチップとＳＩＭカードとの間の通信をブロックすることと、をさらに含むことを特徴とするモバイル端末のネットワークロック方法。
【請求項２】
前記カスタマイズ情報がオペレータ情報、又はオペレータ情報と提携相手情報であることを特徴とする請求項１に記載の方法。
【請求項３】
前記ＳＩＭカードにカスタマイズ情報を記憶することは、前記カスタマイズ情報がオペレータ情報である時、前記ＳＩＭカードのグループ識別ファイル１（ＧＩＤ１）にオペレータ情報を書き込むことと、
前記カスタマイズ情報がオペレータ情報と提携相手情報である時、前記ＳＩＭカードのＧＩＤ１ファイルにオペレータ情報を書き込み、ＳＩＭカードのグループ識別ファイル２（ＧＩＤ２）に提携相手情報を書き込むことと、を含むことを特徴とする請求項２に記載の方法。
【請求項４】
前記暗号化チップとＳＩＭカードが前記カスタマイズ情報を照合することは、
前記モバイル端末にＳＩＭカードが挿入される時、前記暗号化チップがＳＩＭカードに情報取得信号を送信し、ＳＩＭカード内におけるカスタマイズ情報の取得を要求することと、
前記ＳＩＭカードが前記情報取得信号を受信した後、その自体に記憶されたカスタマイズ情報を暗号化チップに送信することと、
前記暗号化チップがＳＩＭカードからのカスタマイズ情報をその自体に記憶されたカスタマイズ情報と照合し、一致しない時、前記モバイル端末のメインチップと前記ＳＩＭカードとの間の通信をブロックすることと、を含むことを特徴とする請求項１〜３のいずれかの一つに記載の方法。
【請求項５】
モバイル端末のメインチップと前記ＳＩＭカードとの間の通信をブロックすることは、モバイル端末の暗号化チップがモバイル端末のメインチップとＳＩＭカードとの間の通信情報をキャプチャし、モバイル端末のメインチップとＳＩＭカードとの間の正常通信を中断することであることを特徴とする請求項４に記載の方法。
【請求項６】
暗号化チップ、モバイル端末のメインチップ、及びＳＩＭカードモジュールを備え、
暗号化チップは、カスタマイズ情報を記憶し、モバイル端末の電源を入れた後、それぞれモバイル端末のメインチップ及びＳＩＭカードとカスタマイズ情報を照合し、いずれかの一回の照合が一致しないと、モバイル端末のメインチップとＳＩＭカードとの間の通信をブロックすることに用いられ、
モバイル端末のメインチップは、カスタマイズ情報を記憶し、暗号化チップにその自体のカスタマイズ情報を提供して照合を行うことに用いられ、
ＳＩＭカードモジュールは、ＳＩＭカードにおけるカスタマイズ情報を読み取り、且つ暗号化チップに前記カスタマイズ情報を提供することに用いられ、
前記暗号化チップは具体的に、
情報取得信号をモバイル端末のメインチップに送信し、カスタマイズ情報の取得を要求し、
モバイル端末のメインチップからのカスタマイズ情報を受信した後、モバイル端末のメインチップからのカスタマイズ情報をその自体に記憶されたカスタマイズ情報と照合し、一致しない時、前記モバイル端末のメインチップと前記ＳＩＭカードとの間の通信をブロックし、一致する時、前記モバイル端末のメインチップにソフトウェア検証成功信号を送信し、
モバイル端末のメインチップの情報取得信号を受信した後、記憶されたカスタマイズ情報をモバイル端末のメインチップに送信し、且つモバイル端末のメインチップから送信されたハードウェア検証成功の通知を受信した後、ＳＩＭカードと前記カスタマイズ情報を照合し、モバイル端末のメインチップから送信されたハードウェア検証失敗の通知を受信した後、モバイル端末のメインチップとＳＩＭカードとの間の通信をブロックすることに用いられ、
前記モバイル端末のメインチップは具体的に、
暗号化チップから送信されたソフトウェア検証成功信号を受信した後、暗号化チップに情報取得信号を送信し、暗号化チップ内におけるカスタマイズ情報の取得を要求し、
暗号化チップから送信されたカスタマイズ情報を受信した後、暗号化チップからのカスタマイズ情報をその自体のソフトウェアのセキュリティ領域内におけるカスタマイズ情報と照合し、一致する時、暗号化チップにハードウェア検証成功を通知し、一致しない時、暗号化チップにハードウェア検証失敗を通知することに用いられることを特徴とするモバイル端末。
【請求項７】
前記カスタマイズ情報がオペレータ情報、又はオペレータ情報と提携相手情報であることを特徴とする請求項６に記載のモバイル端末。
【請求項８】
前記暗号化チップは具体的には、いずれかの一回の照合が一致しないと、モバイル端末のメインチップとＳＩＭカードモジュールとの間の通信情報をキャプチャし、モバイル端末のメインチップとＳＩＭカードとの間の正常通信を中断することに用いられることを特徴とする請求項７に記載のモバイル端末。
【発明の詳細な説明】
【技術分野】
【０００１】
本発明はモバイル通信技術に関し、特にモバイル端末及びそのネットワークロック方法に関する。
【背景技術】
【０００２】
携帯電話は現在に最も常用するモバイル端末として発展、普及し、ますます人々の情報交流方式に影響を与え、携帯電話は人々の日常生活及び仕事の不可欠な一部となる。現在、ほとんどの携帯電話メーカーは、オペレータと提携し、カスタマイズする方式を採用して儲けるが、オペレータは自身の合法的な権益を守るために、普通に、カスタマイズした携帯電話にネットワークロックを行う、すなわちある特定のネットワークをロックすることを要求し、このようにして、ユーザーが該オペレータのサービスしかを利用できず、自身の利益を守ることを達成する。グローバル経済の発展につれて、現在、多くの大手オペレータの提供するサービスがいずれも複数のネットワークをカバーすることができる。あるオペレータは異なるネットワークサービスエリアへそれぞれ販売する携帯電話をカスタマイズする必要があると、携帯電話メーカーは出荷前、それぞれ各地へ販売される携帯電話に異なるネットワークのネットワークロック操作を行わなければならず、このようにして、効率が低すぎるだけでなく、ネットワークロック後の携帯電話は特定のネットワークしかで利用できず、オペレータは内部でネットワーク間の相互調整を行う必要があると、メーカーに戻って改めてネットワークロックを行わなければならず、コストが高すぎる。
【発明の概要】
【発明が解決しようとする課題】
【０００３】
上記の事情を鑑みて、本発明は主として、モバイル端末及びそのネットワークロック方法を提供してモバイル端末の柔軟なネットワークロックを実現することができることを目的とする。
【課題を解決するための手段】
【０００４】
上記目的を達成するために、本発明の技術案は下記のように実現される。
【０００５】
本発明に係るモバイル端末のネットワークロック方法は、
モバイル端末に暗号化チップが内蔵され、加入者識別モジュール（ＳＩＭ、Ｓｕｂｓｃｒｉｂｅｒ  Ｉｄｅｎｔｉｔｙ  Ｍｏｄｕｌｅ）、暗号化チップ及びモバイル端末のメインチップにそれぞれカスタマイズ情報を記憶することと、
モバイル端末の電源を入れた後、前記暗号化チップがモバイル端末のメインチップ及びＳＩＭカードとそれぞれ前記カスタマイズ情報を照合し、いずれかの一回の照合が一致しないと、前記モバイル端末のメインチップと前記ＳＩＭカードとの間の通信をブロックすることと、を含む。
【０００６】
前記技術案において、前記カスタマイズ情報はオペレータ情報又はオペレータ情報と提携相手情報である。
【０００７】
前記技術案において、前記ＳＩＭカードにカスタマイズ情報を記憶することは、
前記カスタマイズ情報がオペレータ情報である時、前記ＳＩＭカードのグループ識別ファイル１（ＧＩＤ１）にオペレータ情報を書き込むことと、
前記カスタマイズ情報がオペレータ情報と提携相手情報である時、前記ＳＩＭカードのＧＩＤ１ファイルにオペレータ情報を書き込み、ＳＩＭカードのグループ識別ファイル２（ＧＩＤ２）に提携相手情報を書き込むことと、を含む。
【０００８】
前記技術案において、前記暗号化チップとモバイル端末のメインチップが前記カスタマイズ情報を照合することは、
前記暗号化チップが情報取得信号をモバイル端末のメインチップに送信し、カスタマイズ情報の取得を要求することと、
前記モバイル端末のメインチップが情報取得信号を受信した後、その自体のソフトウェアセキュリティ領域内におけるカスタマイズ情報を暗号化チップに送信することと、
前記暗号化チップがモバイル端末のメインチップからのカスタマイズ情報をその自体に記憶されたカスタマイズ情報と照合し、一致しない時、前記モバイル端末のメインチップと前記ＳＩＭカードとの間の通信をブロックすることと、を含む。
【０００９】
前記技術案において、該方法は、前記暗号化チップがモバイル端末のメインチップからのカスタマイズ情報をその自体に記憶されたカスタマイズ情報と照合し、一致する時、前記モバイル端末のメインチップにソフトウェア検証成功信号を送信することと、
前記モバイル端末のメインチップがソフトウェア検証成功信号を受信じた後、暗号化チップに情報取得信号を送信し、暗号化チップ内におけるカスタマイズ情報の取得を要求することと、
前記暗号化チップがモバイル端末のメインチップの情報取得信号を受信した後、記憶されたカスタマイズ情報をモバイル端末のメインチップに送信することと、
前記モバイル端末のメインチップが暗号化チップからのカスタマイズ情報をその自体のソフトウェアセキュリティ領域内におけるカスタマイズ情報と照合し、一致する時、モバイル端末のメインチップが暗号化チップにハードウェア検証成功を通知し、前記暗号化チップがハードウェア検証成功の通知を受信した後、暗号化チップとＳＩＭカードが前記カスタマイズ情報を照合するステップを実行し、一致しない時、暗号化チップにハードウェア検証失敗を通知し、前記暗号化チップがハードウェア検証失敗の通知を受信した後、モバイル端末のメインチップとＳＩＭカードとの間の通信をブロックすることと、を含む。
【００１０】
前記技術案において、前記暗号化チップとＳＩＭカードが前記カスタマイズ情報を照合することは、
前記モバイル端末にＳＩＭカードが挿入される時、前記暗号化チップがＳＩＭカードに情報取得信号を送信し、ＳＩＭカード内におけるカスタマイズ情報の取得を要求することと、
前記ＳＩＭカードが前記情報取得信号を受信した後、その自体に記憶されたカスタマイズ情報を暗号化チップに送信することと、
前記暗号化チップがＳＩＭカードからのカスタマイズ情報をその自体に記憶されたカスタマイズ情報と照合し、一致しない時、前記モバイル端末のメインチップと前記ＳＩＭカードとの間の通信をブロックすることと、を含む。
【００１１】
前記技術案において、前記の前記モバイル端末のメインチップと前記ＳＩＭカードとの間の通信をブロックすることは、モバイル端末の暗号化チップがモバイル端末のメインチップとＳＩＭカードとの間の通信情報をキャプチャし、モバイル端末のメインチップとＳＩＭカードとの間の正常通信を中断することである。
【００１２】
本発明に係るモバイル端末は、暗号化チップ、モバイル端末のメインチップ、及びＳＩＭカードモジュールを備え、
暗号化チップは、カスタマイズ情報が記憶され、モバイル端末の電源を入れた後、それぞれモバイル端末のメインチップ及びＳＩＭカードモジュールとカスタマイズ情報を照合し、いずれかの一回の照合が一致しないと、モバイル端末のメインチップとＳＩＭカードモジュールとの間の通信をブロックすることに用いられ、
モバイル端末のメインチップは、カスタマイズ情報が記憶され、暗号化チップにその自体のカスタマイズ情報を提供して照合を行うことに用いられ、
ＳＩＭカードモジュールは、ＳＩＭカードにおけるカスタマイズ情報を読み取り、且つ暗号化チップに前記カスタマイズ情報を提供することに用いられる。
【００１３】
前記技術案において、前記暗号化チップは具体的には、いずれかの一回の照合が一致しないと、モバイル端末のメインチップとＳＩＭカードモジュールとの間の通信情報をキャプチャし、モバイル端末のメインチップとＳＩＭカードモジュールとの間の正常通信を中断することに用いられる。
【発明の効果】
【００１４】
本発明はモバイル端末及びそのネットワークロック方法を提供し、モバイル端末に暗号化チップが内蔵され、ＳＩＭカード、暗号化チップ及びモバイル端末のメインチップにそれぞれカスタマイズ情報を記憶し、モバイル端末の電源を入れた後、前記暗号化チップがモバイル端末のメインチップ及びＳＩＭカードとそれぞれ前記カスタマイズ情報を照合し、いずれかの一回の照合が一致しないと、前記モバイル端末のメインチップと前記ＳＩＭカードとの間の通信をブロックする。本発明によれば、モバイル端末の柔軟なネットワークロックを実現し、且つカスタマイズ情報がオペレータ情報又はオペレータ情報と提携相手情報である場合に、同一のオペレータ又は同一のオペレータと提携相手がサービスを提供可能ないずれかの一回のネットワークで、モバイル端末は該オペレータのカスタマイズしたＳＩＭカードを挿入されれば正常に利用可能であり、モバイル端末が該オペレータの内部でネットワーク間の相互調整を行う時、メーカーに戻って改めてネットワークロックを行わなければならない問題を回避し、効率を向上させ、コストを低下させる。それと同時に、本発明の技術案はソフトハードウェア組合せの方法を採用して情報の相互照合を行い、モバイル端末のソフトウェアに対する各種類の不正解読を効果的に防止する。
【図面の簡単な説明】
【００１５】
【図１】図１は本発明に係るモバイル端末のネットワークロック方法のフローチャートである。
【図２】図２は本発明に係るモバイル端末の構造模式図である。
【発明を実施するための形態】
【００１６】
本発明の趣旨は、モバイル端末に暗号化チップが内蔵され、ＳＩＭカード、暗号化チップ及びモバイル端末のメインチップにそれぞれカスタマイズ情報を記憶し、モバイル端末の電源を入れた後、上記暗号化チップがモバイル端末のメインチップ及びＳＩＭカードとそれぞれ上記カスタマイズ情報を照合し、いずれかの一回の照合が一致しないと、上記モバイル端末のメインチップと上記ＳＩＭカードとの間の通信をブロックすることである。
【００１７】
以下、図面及び具体的な実施例を参照しながら、本発明をさらに詳細に説明する。
【００１８】
本発明に係るモバイル端末のオペレータロック方法は、図１に示すように、
１０１、モバイル端末にモバイル端末のメインチップとＳＩＭカードとの間の通信情報をフィルタリングするための暗号化チップが内蔵され、ＳＩＭカード、暗号化チップ及びモバイル端末のソフトウェアにそれぞれカスタマイズ情報を記憶するステップと、
１０２、モバイル端末の電源を入れた後、暗号化チップとモバイル端末のメインチップが上記カスタマイズ情報を照合し、一致する時、ステップ１０３を実行し、一致しない時、ステップ１０５を実行するステップと、
１０３、モバイル端末の暗号化チップとＳＩＭカードが上記カスタマイズ情報を照合し、一致する時、ステップ１０４を実行し、一致しない時、ステップ１０５を実行するステップと、
１０４、モバイル端末のメインチップとＳＩＭカードが正常に通信し、流れが終了するステップと、
１０５、モバイル端末のメインチップとＳＩＭカードとの間の通信をブロックするステップと、を含む。
【００１９】
ステップ１０１において、具体的には、モバイル端末に１つの暗号化チップを加え、モバイル端末のメインチップとＳＩＭカードとの間に直列接続され、モバイル端末のメインチップとＳＩＭカードとの間の通信情報をフィルタリングすることに用いられ、且つ予めＳＩＭカード、暗号化チップ及びモバイル端末のメインチップのソフトウェアセキュリティ領域にそれぞれカスタマイズ情報を書き込んでおき、上記カスタマイズ情報はオペレータ情報又はオペレータ情報と提携相手情報であってもよく、上記オペレータ情報は一般的には、オペレータ名称、オペレータコード等を含み、上記提携相手情報はオペレータと提携関係を締結するメーカー情報であり、一般的には、提携相手名称、提携相手コード等を含み、
上記ＳＩＭカードにカスタマイズ情報を書き込むことは、カスタマイズ情報がオペレータ情報である時、ＳＩＭカードのＧＩＤ１ファイルにオペレータ情報を書き込み、カスタマイズ情報がオペレータ情報と提携相手情報である時、ＳＩＭカードのＧＩＤ１ファイルにオペレータ情報を書き込み、ＳＩＭカードのＧＩＤ２ファイルに提携相手情報を書き込むことであってもよく、
上記暗号化チップがモバイル端末のメインチップとＳＩＭカードとの間の通信情報をフィルタリングすることは一般的には、上記暗号化チップが電源を入れると自動的に運転し、モバイル端末のメインチップとＳＩＭカードとの間の予め設定された情報を取得し、その他の情報を透過させることであり、ここで、上記予め設定された情報は一般的には、カスタマイズメッセージに関するインタラクション信号であり、上記暗号化チップにおける情報はモバイル端末のメーカーしかが書き込み、修正、及び消去等の操作を行うことができない。
【００２０】
ステップ１０２において、具体的には、上記モバイル端末の電源を入れると、暗号化チップが情報取得信号をモバイル端末のメインチップに送信し、カスタマイズ情報の取得を要求し、モバイル端末のメインチップが情報取得信号を受信した後、ソフトウェアセキュリティ領域内におけるカスタマイズ情報を暗号化チップに送信し、暗号化チップがモバイル端末のメインチップから送信されたカスタマイズ情報をその自体に記憶されたカスタマイズ情報と照合し、一致する時、モバイル端末のメインチップにソフトウェア検証成功信号Ｓを送信し、ハードウェアがソフトウェアを検証することは成功することを表し、ステップ１０３を実行し、一致しない時、ステップ１０５を実行し、
カスタマイズ情報がオペレータ情報と提携相手情報である時、上記暗号化チップがモバイル端末のメインチップから送信されたカスタマイズ情報をその自体に記憶されたカスタマイズ情報と照合することは具体的には、上記暗号化チップがまず、モバイル端末のメインチップから送信されたオペレータ情報をその自体に記憶されたオペレータ情報と照合し、一致する時、さらにモバイル端末のメインチップから送信された提携相手情報をその自体に記憶された提携相手情報と照合することであり、
さらに、上記モバイル端末のメインチップがソフトウェア検証成功信号Ｓを受信した後、本ステップは、モバイル端末のメインチップが暗号化チップに情報取得信号を送信し、暗号化チップ内におけるカスタマイズ情報の取得を要求することと、暗号化チップがモバイル端末のメインチップの情報取得信号を受信した後、記憶されたカスタマイズ情報をモバイル端末のメインチップに送信することと、モバイル端末のメインチップが暗号化チップから送信されたカスタマイズ情報をその自体のソフトウェアセキュリティ領域内におけるカスタマイズ情報と照合し、一致する時、暗号化チップにハードウェア検証成功を通知し、ソフトウェアがハードウェアを検証することは成功であることを表し、上記暗号化チップがハードウェア検証成功の通知を受信した後、ステップ１０３を実行することと、一致しない時、暗号化チップにハードウェア検証失敗を通知し、上記暗号化チップがハードウェア検証失敗の通知を受信した後、ステップ１０５を実行することと、をさらに含み、
さらに、本ステップにおいて、モバイル端末のメインチップにおいてモバイル端末のソフトウェアが解読又は消去され、暗号化チップが所定の時間内にモバイル端末のメインチップの返すカスタマイズ情報を受信していない時、ステップ１０５を実行する。
【００２１】
本ステップの方法によれば、ソフトハードウェア組合せを採用してカスタマイズ情報の相応照合を行い、モバイル端末のソフトウェアに対する各種類の不正解読を効果的に防止する。
【００２２】
ステップ１０３において、具体的には、モバイル端末にＳＩＭカードが挿入される時、暗号化チップが自動的にＳＩＭカードに情報取得信号を送信し、ＳＩＭカード内におけるカスタマイズ情報の取得を要求し、ＳＩＭカードが上記情報取得信号を受信した後、その自体に記憶されたカスタマイズ情報を暗号化チップに送信し、暗号化チップがＳＩＭカードから送信されたカスタマイズ情報をその自体に記憶されたカスタマイズ情報と照合し、一致する時、ＳＩＭカードに照合成功信号を送信し、ステップ１０４を実行し、一致しない時、ステップ１０５を実行し、
カスタマイズ情報がオペレータ情報と提携相手情報である時、上記暗号化チップがＳＩＭカードから送信されたカスタマイズ情報をその自体に記憶されたカスタマイズ情報と照合することは具体的には、上記暗号化チップがまず、ＳＩＭカードから送信されたオペレータ情報をその自体に記憶されたオペレータ情報と照合し、一致する時、さらにＳＩＭカードから送信された提携相手情報をその自体に記憶された提携相手情報と照合することである。
【００２３】
ステップ１０４において、ここで、上記暗号化チップはモバイル端末のメインチップとＳＩＭカードとの間の通信情報を透過させる。
【００２４】
ステップ１０５において、具体的には、モバイル端末のメインチップとＳＩＭカードとの間に直列接続される暗号化チップはモバイル端末のメインチップとＳＩＭカードとの間の通信情報をキャプチャし、モバイル端末のメインチップとＳＩＭカードとの間の正常通信を中断する。
【００２５】
上記方法を実現するために、本発明はさらにモバイル端末を提供し、図２に示すように、該モバイル端末は、暗号化チップ２１、モバイル端末のメインチップ２２、及びＳＩＭカードモジュール２３を備え、
暗号化チップ２１は、カスタマイズ情報が記憶され、モバイル端末の電源を入れた後、モバイル端末のメインチップ２２とＳＩＭカードモジュール２３との間の通信情報をフィルタリングし、それぞれモバイル端末のメインチップ２２及びＳＩＭカードモジュール２３と上記カスタマイズ情報を照合し、いずれかの一回の照合が一致しないと、モバイル端末のメインチップ２２とＳＩＭカードモジュール２３との間の通信をブロックすることに用いられ、
モバイル端末のメインチップ２２は、カスタマイズ情報が記憶され、暗号化チップ２１にその自体のカスタマイズ情報を提供して照合を行うことに用いられ、
ＳＩＭカードモジュール２３は、ＳＩＭカードにおけるカスタマイズ情報を読み取り、且つ暗号化チップ２１に上記カスタマイズ情報を提供することに用いられ、
上記カスタマイズ情報はオペレータ情報又はオペレータ情報と提携相手情報であってもよく、
さらに、上記カスタマイズ情報がオペレータ情報である時、上記ＳＩＭカードにおけるカスタマイズ情報は、ＳＩＭカードのＧＩＤ１ファイルにオペレータ情報を書き込むことであり、上記カスタマイズ情報がオペレータ情報と提携相手情報である時、上記ＳＩＭカードにおけるカスタマイズ情報は、ＳＩＭカードのＧＩＤ１ファイルにオペレータ情報を書き込み、且つＧＩＤ２ファイルに提携相手情報を書き込むことである。
【００２６】
上記暗号化チップ２１は具体的には、電源を入れると、情報取得信号をモバイル端末のメインチップ２２に送信し、カスタマイズ情報の取得を要求し、モバイル端末のメインチップ２２からのカスタマイズ情報を受信した後、モバイル端末のメインチップ２２からのカスタマイズ情報をその自体に記憶されたカスタマイズ情報と照合し、一致しない時、モバイル端末のメインチップ２２とＳＩＭカードモジュール２３との間の通信をブロックし、一致する時、モバイル端末のメインチップ２２にソフトウェア検証成功信号Ｓを送信し、且つＳＩＭカードが挿入される時、自動的にＳＩＭカードモジュール２３に情報取得信号を送信し、ＳＩＭカードのカスタマイズ情報の取得を要求し、ＳＩＭカードモジュール２３から送信されたカスタマイズ情報を受信した後、ＳＩＭカードモジュール２３からのカスタマイズ情報をその自体に記憶されたカスタマイズ情報と照合し、一致しない時、モバイル端末のメインチップ２２とＳＩＭカードモジュール２３との間の通信をブロックし、一致する時、ＳＩＭカードモジュール２３に照合成功信号を送信し、モバイル端末のメインチップ２２とＳＩＭカードモジュール２３との間の通信情報を透過させ、モバイル端末を正常に通信させることに用いられ、
さらに、上記暗号化チップ２１がモバイル端末のメインチップ２２とＳＩＭカードモジュール２３との間の通信をブロックすることは具体的には、上記暗号化チップ２１がモバイル端末のメインチップ２２とＳＩＭカードモジュール２３との間の通信情報をキャプチャし、モバイル端末のメインチップ２２とＳＩＭカードモジュール２３との正常通信を中断することであり、
上記モバイル端末のメインチップ２２は具体的に、暗号化チップ２１から送信された情報取得信号を受信した後、その自体のソフトウェアセキュリティ領域内におけるカスタマイズ情報を暗号化チップ２１に送信し、且つ暗号化チップ２１のソフトウェア検証成功信号Ｓを受信することに用いられ、
上記ＳＩＭカードモジュール２３は具体的に、暗号化チップ２１から送信された情報取得信号を受信した後、ＳＩＭカードに記憶されたカスタマイズ情報を読み取って暗号化チップ２１に送信し、暗号化チップ２１の照合成功信号を受信することに用いられ、
上記モバイル端末のメインチップ２２はさらに、ソフトウェア検証成功信号Ｓを受信した後、暗号化チップ２１に情報取得信号を送信し、暗号化チップ２１内におけるカスタマイズ情報の取得を要求し、暗号化チップ２１から送信されたカスタマイズ情報を受信した後、暗号化チップ２１からのカスタマイズ情報をその自体のモバイル端末のソフトウェアのセキュリティ領域内におけるカスタマイズ情報と照合し、一致する時、暗号化チップ２１にハードウェア検証成功を通知し、一致しない時、暗号化チップ２１にハードウェア検証失敗を通知することに用いられ、
上記暗号化チップ２１はさらに、モバイル端末のメインチップ２２の情報取得信号を受信した後、記憶されたカスタマイズ情報をモバイル端末のメインチップ２２に送信し、且つモバイル端末のメインチップ２２から送信されたハードウェア検証成功の通知を受信した後、ＳＩＭカードモジュール２３と上記カスタマイズ情報を照合し、モバイル端末のメインチップ２２から送信されたハードウェア検証失敗の通知を受信した後、ＳＩＭカードモジュール２３と上記カスタマイズ情報を照合せず、モバイル端末のメインチップ２２とＳＩＭカードモジュール２３との間の通信をブロックすることに用いられる。
【００２７】
上記技術案によれば、モバイル端末の柔軟なネットワークロックを実現することができ、且つカスタマイズ情報がオペレータ情報又はオペレータ情報と提携相手情報である場合に、同一のオペレータ又は同一のオペレータと提携相手がサービスを提供可能ないずれかのネットワークで、モバイル端末は該オペレータのカスタマイズしたＳＩＭカードを挿入されれば正常に利用可能であり、モバイル端末が該オペレータの内部でネットワーク間の相互調整を行うには、メーカーに戻って改めてネットワークロックを行わなければならない問題を回避し、効率を向上させ、コストを低下させる。それと同時に、ソフトハードウェア組合せの方法を採用して情報の相互照合を行い、モバイル端末のソフトウェアに対する各種類の不正解読を効果的に防止することができる。
【００２８】
以上の記述は本発明の好ましい実施例に過ぎず、本発明の保護範囲を限定するものではない。
【図１】
0005722464.tif 000002
【図２】
0005722464.tif 000003